(57)【要約】  本発明は、充電用スタンド（１）と、充電用スタンド（１）に給電するための電源部構成体（１１と）、充電用スタンド（２）に接続するための電源部構成体（１１）の接続プラグ（９）と、これらの構成部材から成る充電装置（１；９；１１）とに関する。そして本発明の課題は、これらの構成部材を用いて価格的には安価でかつ構造的に適合可能な、モバイルの通信端末機を充電することができる構成を提供ことである。そのために使用される充電用スタンド（１）は、単に、内部にコンタクトばね（５）が配置されているハウジング（２；３）から成っている。他のすべての構成部材は、電源部構成体（１１）にシフトされており、この場合面状に延びた接続プラグ（９）が使用されており、この接続プラグ（９）は、充電用スタンド（１）との接触接続のために、面状に延びたコンタクト面（１５）を有している。
2007534287.tif 000002
【特許請求の範囲】
【請求項１】
モバイルの通信端末機を充電する充電用スタンド（１）であって、該充電用スタンド（１）が、導入凹設部（８）を備えたハウジング（２；３）と該ハウジング（２：３）内に配置されたコンタクトばね（５）とから成っており、ハウジング（２；３）に設けられた導入凹設部（８）内に、充電用スタンド（１）との電気的な接続のために、面状に延びたコンタクト面（１５）を備えた接続プラグ（９）が導入可能であり、かつそこで位置決め可能であり、ハウジング（２；３）内に配置されたコンタクトばね（５）の一方の端部に、ハウジング（２；３）の導入凹設部（８）において位置決めされる接続プラグ（９）のコンタクト面（１５）との接触接続のために働くばね舌片（６）が設けられており、さらにコンタクトばね（５）の他方の端部にコンタクトポイント（７）が設けられていて、該コンタクトポイント（７）が、充電のために充電用スタンド（１）に置かれるモバイルの通信端末機における対応ポイントと、ハウジング（２；３）における開口（１０）を通して接触接続可能であることを特徴とする充電用スタンド。
【請求項２】
ハウジング（２；３）の成形体のうちの少なくとも１つ（例えば３）に、位置決めホルダが一体成形されていて、該位置決めホルダ（４）にコンタクトばね（５）が挿入取付け可能である、請求項１記載の充電用スタンド。
【請求項３】
電源部構成体であって、ただ１つのハウジング内に、モバイルの通信端末機を充電するため及び該充電過程を制御するための全電子機器（１２）が配置されていて、さらに接続ケーブル（１４）に接続されていて面状に延びる接続プラグ（９）が設けられていて、該接続プラグ（９）が、充電用スタンド（１）との接触接続のための面状に延びたコンタクト面（１５）を有していることを特徴とする電源部構成体。
【請求項４】
電源部構成体（１１）のハウジングが直接、電源プラグ（１３）と接続されている、請求項３記載の電源部構成体。
【請求項５】
接続プラグであって、面状に延びたベース体が設けられていて、該ベース体の上側面に、面状に延びたコンタクト面（１５）が配置されていることを特徴とする接続プラグ。
【請求項６】
ベース体が扁平に形成されている、請求項５記載の接続プラグ。
【請求項７】
面状に形成されたコンタクト面（１５）が、接続プラグ（９）の導入方向で見て前縁部に配置されていて、導入方向で働く挿入傾斜部を有している、請求項５又は６記載の接続プラグ。
【請求項８】
接続プラグ（９）の表面に、少なくとも１つのただ１つの案内路（１６）が設けられている、請求項５から７までのいずれか１項記載の接続プラグ。
【請求項９】
モバイルの通信端末機を充電する充電装置であって、請求項１又は２記載の充電用スタンド（１）と、請求項３又は４記載の電源部構成体（１１）と請求項５から８までのいずれか１項記載の接続プラグ（９）とから成っていることを特徴とする、モバイルの通信端末機を充電する充電装置。
【発明の詳細な説明】
【技術分野】
【０００１】
本発明は、モバイルの通信端末機のための充電用スタンドと、このような充電用スタンドに給電するための電源部構成体と、充電用スタンドへの接続のために働く電源部構成体の接続プラグと、モバイルの通信端末機に充電するための充電装置とに関する。
【０００２】
モバイルの通信端末機に充電するための装置は、一般的に知られている。このような装置は充電用スタンドと電源部構成体とから成っており、この電源部構成体は、フレキシブルな導電体を介して直接的に又は、着脱可能な接続プラグを用いて電気機械式に充電用スタンドと接続されている。これに関連して、モバイルの通信端末機を充電するための充電用スタンドも公知である。これに関連してさらに、このような充電用スタンドに給電する電源部構成体も公知である。これに関連してさらにまた、充電用スタンドと電源部構成体との間における直接的な導体接続部及び着脱可能な導体接続部も公知である。
【０００３】
公知の構成における欠点としては、前記部材の製造コスト及び前記部材から形成された充電装置の製造コストが、なおかなり高いということが挙げられる。さらに、充電装置の前記部材においてモバイルの通信端末機に構造上の変化を適合させるために、かなりの手間もしくは費用が必要である。
【０００４】
ゆえに本発明の課題は、モバイルの通信端末機を充電するための充電装置と、充電用スタンドと、この充電用スタンドに給電するために働きかつこのような充電装置において使用される電源部構成体と、充電用スタンドと電源部構成体との間における着脱可能な接続のための接続プラグとにおいて、各部材の安価な製造、ひいてはこれらの部材から成る充電装置の安価な製造、並びに所属のモバイルの通信端末機における構造上の変化への適合を簡単にできるようにすることであり、しかも同時に前記部材ひいては充電装置の設置もしくは取付けにおける手間を軽減もしくは取扱いを簡単化することである。
【０００５】
この課題を解決するために充電用スタンドに関する本発明の構成では、請求項１記載のように、すなわち、モバイルの通信端末機を充電する充電用スタンドにおいて、該充電用スタンドが、導入凹設部を備えたハウジングと該ハウジング内に配置されたコンタクトばねとから成っており、ハウジングに設けられた導入凹設部内に、充電用スタンドとの電気的な接続のために、面状に延びたコンタクト面を備えた接続プラグが導入可能であり、かつそこで位置決め可能であり、ハウジング内に配置されたコンタクトばねの一方の端部に、ハウジングの導入凹設部において位置決めされる接続プラグのコンタクト面との接触接続のために働くばね舌片が設けられており、さらにコンタクトばねの他方の端部にコンタクトポイントが設けられていて、該コンタクトポイントが、充電のために充電用スタンドに置かれるモバイルの通信端末機における対応ポイントと、ハウジングにおける開口を通して接触接続可能であるようにした。
【０００６】
前記課題を解決するために、充電用スタンドに給電するための電源部構成体に関する本発明の構成では、請求項３記載のように、すなわち、電源部構成体において、ただ１つのハウジング内に、モバイルの通信端末機を充電するため及び該充電過程を制御するための全電子機器が配置されていて、さらに接続ケーブルに接続されていて面状に延びる接続プラグが設けられていて、該接続プラグが、充電用スタンドとの接触接続のための面状に延びたコンタクト面を有しているようにした。
【０００７】
前記課題を解決するために、接続プラグに関する本発明の構成では、請求項５記載のように、すなわち、接続プラグにおいて、面状に延びたベース体が設けられていて、該ベース体の上側面に、面状に延びたコンタクト面が配置されているようにした。
【０００８】
前記課題を解決するために、充電装置に関する本発明の構成では、請求項９記載のように、すなわち、モバイルの通信端末機を充電する充電装置において、請求項１又は２記載の充電用スタンドと、請求項３又は４記載の電源部構成体と請求項５から８までのいずれか１項記載の接続プラグとから成っているようにした。
【０００９】
本発明による充電用スタンドはただ１つのハウジングを有していて、このハウジング内にコンタクトばねが配置されている。ハウジングの組立ては、簡単にスナップ結合によってまとめられる２つの成形体によって行われる。両成形体を互いにスナップ結合する前に、コンタクトばねは一方の成形体内に挿入される。
【００１０】
充電用スタンドの電気的な接続のために、一方の成形体は導入凹設部を有していて、この導入凹設部内に接続プラグを導入し、かつそこで位置決めすることができる。
【００１１】
接続プラグは電気的な接続エレメントであって、この接続エレメントを介して充電用スタンドに電流が供給される。この充電用スタンドへの給電は次のようにして行われる。すなわちこの場合、面状に延びた接続プラグコンタクト面が、ハウジングの一方の成形体の導入凹設部への接続プラグの導入時に、コンタクトばねの一方の端部に設けられたばね舌片と接触接続するようになっている。コンタクトばねの他方の端部にはコンタクトポイントが設けられており、これらのコンタクトポイントはハウジングにおける開口を通って、充電用スタンドに充電のためにセットされるモバイルの通信端末機の対応ポイントと接触接続可能である。
【００１２】
充電用スタンドがこのように数少ない単純な構成部分から成っていて、固定の導電接続部を有していないことによって、充電用スタンドを安価にかつ簡単に製造すること及び組み立てることができる。さらに充電用スタンドは、まず初め簡単にケーブルなしで設置され、次いで電気的な接続ケーブルと接続されることができる。電気的な接続ケーブルとの電気的な接続もまた同様に簡単に行うことができる。それというのは、接続ケーブルは堅固に結合される充電用スタンドなしでは、小型かつ軽量であり、その結果接続ケーブルをキャビネットの後ろでかつ小さな開口を通して問題なく案内することができるからである。
【００１３】
充電用スタンドに配属されるモバイルの通信端末機における構造上の変化への充電用スタンドの適合、特にモバイルの通信端末機の対応コンタクト相互の間隔に関する適合は、充電用スタンドのコンタクトばねを相応に幅広く配置することによって、容易に実現することができる。このように充電用スタンドのコンタクトばねを相応に幅広く配置することは、問題なく行うことができる。それというのは、充電用スタンドの内部においては特別に複雑な構成部分に対する配慮を払う必要がないからである。このような複雑な構成部分、つまり通常設けられている何らかの複雑な構成部分は、充電用スタンド内には存在しない。必要なのは単に、充電用スタンドの対応する半部のための新たな成形体だけであり、接続プラグのための導入凹設部はそのまま変更をする必要がない。それというのは、コンタクトばねのコンタクトポイントの間隔変化、ひいてはコンタクトばねの間隔変化、ひいては接続プラグのコンタクト面との接触接続のためのコンタクト舌片の間隔変化は、接続プラグのコンタクト面の面状の延び、つまり接続プラグのコンタクト面が面状に延在していることによって、接続プラグ自体の変更なしに吸収することができる。
【００１４】
前記課題を解決するために、このような充電用スタンドに給電するための電源部構成体に関する本発明の構成では、電源部構成体において、ただ１つのハウジング内に、モバイルの通信端末機を充電するための全電子機器及びこの電子機器を制御するための全制御装置がまとめて配置されていて、さらにこの電源部構成体が、面状の延びる接続プラグを備えた接続ケーブルを介して、充電用スタンドとの接触接続のための面状に延びたコンタクト面と接続されているようにした。
【００１５】
このような電源部構成体は、モバイルの通信端末機を充電するための全電子装置と全制御装置とを有していない電源部構成体と比べてもほとんど高価ではない。なぜならば、この電子装置及び制御装置は、いずれにせよ電源部構成体内に設けられている電流及び電圧変換のための電子装置に組み込むことができるからである。従って、このような電子装置及び制御装置を電源部構成体に組み込むために必要になる付加的な組立てステップは、たとえ増えたとしても、極めて僅かしか増えない。また材料コストに関しても僅かしか増大しない。なぜならば、そのために必要な構成部分は、いずれにせよ設けられている電子装置のためにいずれにせよ存在しているベースプレートに同様に設置することができるからである。
【００１６】
他面において、そのために電源部構成体が設けられている充電用スタンドの製造時における組立てステップ及びコストは節約することができる。なぜならば充電用スタンドには、モバイルの通信端末機を充電するための電子装置や充電を制御する制御装置を備えたプリント配線板を設ける必要がないからである。さらに、面状に延びていて電源部構成体に接続されている接続プラグには、汎用の接続プラグに比べて、高くても極めて僅かしか高くないという利点がある。このような接続プラグには次のような特別の利点がある。すなわち本発明による接続プラグでは、設けることのできる面状に延ばされたコンタクト面には、充電用スタンドのコンタクトばねの間隔に関した変更を、特別大きな変更なしに吸収できるという大きな利点がある。たとえ、このような変更により場合によっては電源部構成体が全体として幾分高くなったとしても、この電源部構成体と共に、所属の充電用スタンドとの関連において著しく大きなコストダウンが可能である。さらにまた電源部構成体に関しても、最終的に大きなコストを節約することができる。なぜならば、電源部構成体は面状に延ばされた接続プラグによってほぼ万能に使用することができるからである。
【００１７】
本発明による接続プラグは、面状に延びたベース体を有していて、該ベース体の上側面に、充電用スタンドとの接触接続のために働く面状に延びたコンタクト面が設けられている。充電用スタンドとの接触接続のために接続プラグの上面においてコンタクト面が面状に延在していることによって、充電用スタンドの側から見れば、接続プラグのコンタクト面と接触接続する充電用スタンドのコンタクトばねが正確にどのような間隔を有しているかは、さほど重要ではない。従って充電用スタンドのコンタクトばねの間隔は、変化させることもできるが、その際に接続プラグを変化させる必要はない。
【００１８】
モバイルの通信端末機に充電するための本発明による充電装置は、上に述べたような充電用スタンドと、上に述べたような電源部構成体と、上に述べたような接続プラグとから成っている。このような充電装置の利点は、上において個々の構成部材に関して記載された利点によって得られる。
【００１９】
本発明の別の有利な構成は、従属請求項に記載されている。
【００２０】
本発明による充電用スタンドの有利な構成では例えば、ハウジングの成形体のうちの少なくとも１つに、位置決めホルダが一体成形されており、この位置決めホルダは、充電用スタンドに取り付けられるコンタクト舌片を、取付け中及びその後で位置決め及び固定するのに役立つ。
【００２１】
本発明による電源部構成体の有利な構成では、電源部構成体のハウジングが直接、電源プラグと接続されている。これによって電源部構成体は同時に別の機能を、つまり電源プラグの機能をも果たすことができる。
【００２２】
また、接続プラグが扁平に構成されていることによって、接続プラグは嵩張らない。そして接続プラグの面状に形成されたコンタクト面の挿入傾斜部は、差込み動作時に、例えば充電用スタンドに設けられているコンタクトばねの下からの係合を滑動しながら可能にする。
【００２３】
さらにまた例えば、接続プラグのコンタクト面とは反対側に位置する接続プラグの表面に案内路が設けられていると、差込み動作時において接続プラグがその終端ポジションを見出すのに有利である。
【００２４】
次に、本発明による充電用スタンド、本発明による電源部構成体、本発明による接続プラグ、並びにモバイルの通信端末機に充電するための本発明による充電装置の実施例を、図面を参照しながら説明する。
【００２５】
図１は、本発明による充電用スタンドを示す分解図であり、
図２は、本発明による電源部構成体を示す斜視図であり、
図３Ａは、図２に示された本発明による接続プラグの上側を示す斜視図であり、
図３Ｂは、図２に示された本発明による接続プラグの下側を示す斜視図であり、
図３Ｃは、本発明による接続プラグを示す分解図であり、
図４Ａは、図１に示された充電用スタンドの底部分を示す斜視図であり、
図４Ｂは、図１に示された充電用スタンドの底部を形成する成形部分の内側を示す斜視図であり、
図５Ａは、図３Ａ〜図３Ｃに示された接続プラグを図１に示された充電用スタンドに差し込む差込み動作の第１運動段階を示す図であり、
図５Ｂは、図３Ａ〜図３Ｃに示された接続プラグを図１に示された充電用スタンドに差し込む差込み動作の第２運動段階を示す図であり、
図５Ｃは、図３Ａ〜図３Ｃに示された接続プラグを図１に示された充電用スタンドに差し込む差込み動作の第３運動段階を示す図である。
【００２６】
図１に示された充電用スタンド（Ladeschale）１は、２つの成形体２,３を有しており、そのうち成形体２は底シェルを形成し、成形体３はカバー部分を形成している。そして成形体２,３は一緒になって充電用スタンド１のハウジングを形成している。成形体２,３は、両者が簡単なスナップ結合によって互いに結合されてハウジングを形成できるように、構成されている。
【００２７】
図示の実施例では成形体３は特に、コンタクトばね５用の位置決めホルダ４を有している。
【００２８】
両成形体２,３を互いに結合させる前に、コンタクトばね５は位置決めホルダ４内に挿入される。
【００２９】
コンタクトばね５はその一方の端部にコンタクト舌片６を有し、他方の端部にコンタクトポイント７を有している。
【００３０】
成形体２はガイド凹設部８を有しており、このガイド凹設部８には接続プラグ９（図２）が導入可能であり、かつそこで位置決め可能である。
【００３１】
コンタクトポイント７は成形体３の開口１０を貫いて、充電用スタンド１に挿入されて充電されるモバイルの通信端末機の対応するコンタクト箇所と接触接続可能である。コンタクト舌片６は、ガイド凹設部８に導入される接続プラグ９（図２）によって下から係合されて、接触接続される。
【００３２】
図２に示された電源部構成体１１は、電源兼充電部分を全電子機器１２として有しており、この全電子機器１２には直接的に電源プラグ１３が設けられている。
【００３３】
電源部構成体１１は接続ケーブル１４を有していて、この接続ケーブル１４の端部には接続プラグ９が固定されている。
【００３４】
接続プラグ９は面状で、図示の実施例では扁平に形成されている。この接続プラグ９はそのカバー側に面状に延ばされたコンタクト面１５を有している。また接続プラグ９はその底部側に少なくとも１つのただ１つの案内路１６を有している。
【００３５】
図３Ａ及び図３Ｂには接続プラグ９のカバー側もしくは底部側から見た図が示されている。特に図３Ａからは面状に延ばされたコンタクト面１５が良く分かり、かつ図３Ｂからは案内路１６が良く分かる。
【００３６】
図３Ｂに示されているように接続プラグ９は２つの案内路１６を有しており、この両案内路１６は凹面状の案内通路として成形されている。
【００３７】
図３Ｃには接続プラグ９の個々の構成部材が示されている。この図３Ｃからは特に、接続ケーブル１４、カバーハウジング１７、底部カバー１８及び、面状に延ばされたコンタクト面１５が良く分かる。
【００３８】
図４Ａには、接続プラグ９が案内凹設部８に導入される２つの経時的状態で、成形体２が示されている。
【００３９】
図４Ｂには、図４Ａと同じく２つの経時的状態が示されており、しかしながらこの場合成形体２の中が見えるように示されている。図５Ａ〜図５Ｃには差込み過程が３つの経時的状態（Ａ,Ｂ,Ｃ）で示されている。特に成形体２及び成形体３並びに接続プラグ９がよく見える。
【００４０】
３つの経時的状態のうちの第１の経時的状態（図５Ａ）では、接続プラグ９は、この接続プラグ９が係止フック１９の直前に位置する程度に、案内凹設部８に導入されている。
【００４１】
第２の経時的状態（図５Ｂ）では、係止フック１９は接続プラグ９によって既に幾分持ち上げられている。
【００４２】
第３の経時的状態（図５Ｃ）では、接続プラグ９は係止フック１９にフックされており、ひいては係止されている。
【００４３】
側面２０を持ち上げることによって係止フック１９は手で持ち上げることができ、そして接続プラグ９を係止フック１９から解放もしくは解除することができる。このようにして接続プラグ９を再び案内凹設部８から取り出すことができる。
【００４４】
上に述べた３つの経時的状態の間、面状に形成されたコンタクト面１５はコンタクトばね５（図５Ａ〜図５Ｃには図示せず）によって接触接続される。
【図面の簡単な説明】
【００４５】
【図１】本発明による充電用スタンドを示す分解図である。
【図２】本発明による電源部構成体を示す斜視図である。
【図３Ａ】図２に示された本発明による接続プラグの上側を示す斜視図である。
【図３Ｂ】図２に示された本発明による接続プラグの下側を示す斜視図である。
【図３Ｃ】本発明による接続プラグを示す分解図である。
【図４Ａ】図１に示された充電用スタンドの底部分を示す斜視図である。
【図４Ｂ】図１に示された充電用スタンドの底部を形成する成形部分の内側を示す斜視図である。
【図５Ａ】図３Ａ〜図３Ｃに示された接続プラグを図１に示された充電用スタンドに差し込む差込み動作の第１運動段階を示す図である。
【図５Ｂ】図３Ａ〜図３Ｃに示された接続プラグを図１に示された充電用スタンドに差し込む差込み動作の第２運動段階を示す図である。
【図５Ｃ】図３Ａ〜図３Ｃに示された接続プラグを図１に示された充電用スタンドに差し込む差込み動作の第３運動段階を示す図である。
【図１】
2007534287.tif 000003
【図２】
2007534287.tif 000004
【図３Ａ】
2007534287.tif 000005
【図３Ｂ】
2007534287.tif 000006
【図３Ｃ】
2007534287.tif 000007
【図４Ａ】
2007534287.tif 000008
【図４Ｂ】
2007534287.tif 000009
【図５Ａ】
2007534287.tif 000010
【図５Ｂ】
2007534287.tif 000011
【図５Ｃ】
2007534287.tif 000012
【手続補正書】
【提出日】平成17年9月27日(2005.9.27)
【手続補正１】
【補正対象書類名】特許請求の範囲
【補正対象項目名】請求項１
【補正方法】変更
【補正の内容】
【請求項１】
モバイルの通信端末機を充電する充電用スタンド（１）であって、該充電用スタンド（１）が、導入凹設部（８）を備えたハウジング（２；３）と該ハウジング（２：３）内に配置されたコンタクトばね（５）とからだけ成っており、ハウジング（２；３）に設けられた導入凹設部（８）内に、充電用スタンド（１）との電気的な接続のために、面状に延びたコンタクト面（１５）を備えた接続プラグ（９）が導入可能であり、かつそこで位置決め可能であり、ハウジング（２；３）内に配置されたコンタクトばね（５）の一方の端部に、ハウジング（２；３）の導入凹設部（８）において位置決めされる接続プラグ（９）のコンタクト面（１５）との接触接続のために働くばね舌片（６）が設けられており、さらにコンタクトばね（５）の他方の端部にコンタクトポイント（７）が設けられていて、該コンタクトポイント（７）が、充電のために充電用スタンド（１）に置かれるモバイルの通信端末機における対応ポイントと、ハウジング（２；３）における開口（１０）を通して接触接続可能であることを特徴とする充電用スタンド。
【手続補正２】
【補正対象書類名】明細書
【補正対象項目名】０００３
【補正方法】変更
【補正の内容】
【０００３】
公知の構成における欠点としては、前記部材の製造コスト及び前記部材から形成された充電装置の製造コストが、なおかなり高いということが挙げられる。さらに、充電装置の前記部材においてモバイルの通信端末機に構造上の変化を適合させるために、かなりの手間もしくは費用が必要である。
ヨーロッパ特許公開第１２９６４２１号明細書には、独立した構成部材として形成されて充電用スタンドの内部に配置されたコネクタが開示されている。このコネクタはその１つの自由端部にプラグ形成部を有し、他方の自由端部にブシュ形成部を有している。両形成部はコネクタの全ハウジングの一部であるので、これによってコネクタは、完全に独立した構成部材として形成されている。ひいてはコネクタは、その製造が面倒かつ高価である極めて複雑化された部材である。所属の充電用スタンドにおけるこのようなコネクタの組立てもしくは取付けによって、充電用スタンドはその製造が面倒かつ高価になる。さらにこのコネクタによって、充電用スタンドに配属された機器における構造上の変更への適合は、電気的な接続コンタクトの接点間隔に関して、面倒かつ高価である。なぜならば、その都度完全に新たに構成されたコネクタを製造する必要があるからである。
英国特許第２３７６３５４号明細書に基づいて、再充電可能なバッテリもしくは蓄電池を充電するための電源部が公知である。この電源部は単に、充電のために必要な電圧を供給し、かつそのために相応な電子装置を有している機器である。この公知の電源部は、モバイルの通信端末機の充電の過程を制御するための電子装置を有していない。このような電源部として電源部は接続プラグを有しており、この接続プラグの電気的な接点は小さな面積で形成されているだけである。
米国特許公告第６２２４４１２号明細書に基づいて公知の接続プラグは、面状に延びたコンタクト面を有しているが、これらのコンタクト面は従来使用されている汎用の値を超えて延びてはいない。
【国際調査報告】
2007534287.tif 000013
2007534287.tif 000014
2007534287.tif 000015
2007534287.tif 000016